(57)【要約】【課題】本発明は、画像形成領域及び余白領域を有するインスタントフィルムを用いて画像を印刷する際に、余白領域が被写体に対し所望の方向に位置したプリントを得られるプリンタ、プリンタ付きカメラ、及びプリント方法を提供することを目的とする。【解決手段】本発明の一の態様に係るプリンタでは、インスタントフィルムに印刷した場合に余白領域が被写体に対し特定の方向に位置するように、入力した画像を回転させるので、画像形成領域及び余白領域を有するインスタントフィルムを用いて画像を印刷する際に、余白領域が被写体に対し所望の方向に位置したプリントを得ることができる。そして、そのような余白領域にメッセージを記入し、見栄えのよいプリントを得ることができる。【選択図】  図１２
2018094916.tif 000002
【特許請求の範囲】
【請求項１】
画像形成領域及び一辺に幅広の余白領域を有するインスタントフィルムであって、前記余白領域は前記画像形成領域とは別の領域であるインスタントフィルムに画像を印刷するプリンタであって、
画像を入力する画像入力部と、
前記入力した画像から被写体を検出する被写体検出部と、
前記被写体の向きに応じて前記入力した画像を回転させる画像回転部であって、前記回転させた画像を前記インスタントフィルムに印刷した場合に前記余白領域が前記被写体に対し特定の方向に位置するように前記入力した画像を回転させる画像回転部と、
前記回転させた画像を前記インスタントフィルムに印刷するプリント部と、
を備えるプリンタ。
【請求項２】
前記回転させた画像及び前記余白領域を、前記余白領域が前記回転させた画像に対し前記特定の方向に位置するように配置して表示装置に表示させる表示制御部を備える請求項１に記載のプリンタ。
【請求項３】
前記表示制御部は、前記表示された前記余白領域において、前記配置に応じた方向により前記表示装置にメッセージのサンプルを表示させる請求項２に記載のプリンタ。
【請求項４】
前記表示制御部は、前記入力した画像または前記回転させた画像を前記印刷の際の前記インスタントフィルムの搬送方向に合わせて回転させた表示用画像を前記表示装置に表示させる請求項２または３に記載のプリンタ。
【請求項５】
前記特定の方向は前記検出した被写体に対して上方向または下方向である請求項１から４のいずれか１項に記載のプリンタ。
【請求項６】
前記被写体検出部は、前記被写体として人物の顔を検出する請求項１から５のいずれか１項に記載のプリンタ。
【請求項７】
前記画像回転部は前記余白領域が前記人物の顔の上側に位置するように前記入力した画像を回転させる請求項６に記載のプリンタ。
【請求項８】
前記画像回転部は前記余白領域が前記人物の顔の下側に位置するように前記入力した画像を回転させる請求項６に記載のプリンタ。
【請求項９】
前記被写体検出部が複数の人物の顔を検出した場合において、前記複数の人物の顔の方向の相違が許容範囲以内であるときは、前記画像回転部は前記入力した画像を回転させる請求項６から８のいずれか１項に記載のプリンタ。
【請求項１０】
前記被写体検出部が複数の人物の顔を検出した場合において、前記複数の人物の顔の方向の相違が許容範囲を超えるときは、前記画像回転部は前記入力した画像を回転させない請求項６から８のいずれか１項に記載のプリンタ。
【請求項１１】
前記検出した人物の顔を除く領域の一部を前記回転させた画像においてトリミングするトリミング部を備え、前記プリント部は前記トリミングを施した画像を印刷する請求項６から１０のいずれか１項に記載のプリンタ。
【請求項１２】
前記回転及び／または前記トリミングの内容を示す情報を前記入力した画像と関連づけて記憶する記憶部を備える請求項１１に記載のプリンタ。
【請求項１３】
前記インスタントフィルムは前記余白領域に現像液ポッドが設けられる自己現像型インスタントフィルムであり、
前記プリント部は、前記印刷の際に前記現像液ポッドを前方として前記自己現像型インスタントフィルムを搬送する請求項１から１２のいずれか１項に記載のプリンタ。
【請求項１４】
請求項１から１３のいずれか１項に記載のプリンタと、撮像光学系と、前記撮像光学系により結像された前記被写体の光学像を示す信号を出力する撮像素子と、を備え、
前記画像入力部は前記出力された信号に基づいて生成された画像を入力するプリンタ付きカメラ。
【請求項１５】
画像形成領域及び一辺に幅広の余白領域を有するインスタントフィルムであって、前記余白領域は前記画像形成領域とは別の領域であるインスタントフィルムに画像を印刷するプリント方法であって、
画像を入力する画像入力工程と、
前記入力した画像から被写体を検出する被写体検出工程と、
前記検出した被写体の向きに応じて前記入力した画像を回転させる画像回転工程であって、前記回転させた画像を前記インスタントフィルムに印刷した場合に前記余白領域が前記被写体に対し特定の方向に位置するように前記入力した画像を回転させる画像回転工程と、
前記回転させた画像を前記インスタントフィルムに印刷する画像印刷工程と、
を含むプリント方法。
【発明の詳細な説明】
【技術分野】
【０００１】
本発明はプリンタ、プリンタ付きカメラ、及びプリント方法に係り、特にインスタントフィルムに画像を印刷するプリンタ、プリンタ付きカメラ、及びプリント方法に関する。
【背景技術】
【０００２】
インスタントフィルムを用いるプリンタや、そのようなプリンタを用いたカメラが知られており、これらの機器で画像を印刷する場合、フィルムの余白領域（画像を形成する領域とは別の領域）にメッセージを記入して友人や知人に渡すことが行われる。メッセージはユーザが手書きする他、プリンタにより印刷される。例えば、下記特許文献１では、画像印刷用の露光ヘッドとは別に設けたサーマルヘッドやインクジェットヘッドにより、余白領域にメッセージが印字される。
【先行技術文献】
【特許文献】
【０００３】
【特許文献１】特開２００２−６４０９号公報
【発明の概要】
【発明が解決しようとする課題】
【０００４】
インスタントフィルムによるプリントの余白領域にメッセージを記入または印字しようとする場合、被写体の向きやカメラの向き等の条件（例えば、被写体が斜め方向を向いていた、カメラを斜めに構えていた、等）によっては余白領域が被写体に対して種々の方向（上下左右及び斜め）になる場合があり、余白領域が被写体に対して所望の方向にないため余白領域（及びそこに記入したメッセージ）と被写体とのバランスが損なわれて見づらくなり、ユーザが希望するプリントが得られない可能性がある。しかしながら上述した特許文献１ではこのような問題は何ら考慮されていない。
【０００５】
このように従来の技術は、インスタントフィルムを用いて画像を印刷する際に、余白領域が被写体に対し所望の方向に位置したプリントを得られるものではなかった。
【０００６】
本発明はこのような事情に鑑みてなされたもので、画像形成領域及び余白領域を有するインスタントフィルムを用いて画像を印刷する際に、余白領域が被写体に対し所望の方向に位置したプリントを得られるプリンタ、プリンタ付きカメラ、及びプリント方法を提供することを目的とする。
【課題を解決するための手段】
【０００７】
上述した目的を達成するため、本発明の第１の態様に係るプリンタは、画像形成領域及び一辺に幅広の余白領域を有するインスタントフィルムであって、余白領域は画像形成領域とは別の領域であるインスタントフィルムに画像を印刷するプリンタであって、画像を入力する画像入力部と、入力した画像から被写体を検出する被写体検出部と、被写体の向きに応じて入力した画像を回転させる画像回転部であって、回転させた画像をインスタントフィルムに印刷した場合に余白領域が被写体に対し特定の方向に位置するように入力した画像を回転させる画像回転部と、回転させた画像をインスタントフィルムに印刷するプリント部と、を備える。
【０００８】
第１の態様に係るプリンタでは、インスタントフィルムに印刷した場合に余白領域が被写体に対し特定の方向に位置するように入力した画像を回転させるので、画像形成領域及び余白領域を有するインスタントフィルムを用いて画像を印刷する際に、余白領域が被写体に対し所望の方向に位置したプリントを得ることができる。そして、ユーザはそのような余白領域にメッセージを記入して見栄えのよいプリントを得ることができる。なお第１の態様において、画像形成領域とは別の領域のうち印刷時の搬送方向において前方の領域、あるいは後方の領域を「余白領域」としてもよい。
【０００９】
なお、画像の回転に際して、被写体の向きは画像処理により判断してもよいし、画像を取得する撮像装置（デジタルカメラ等）の向きにより判断してもよい。撮像装置の向きにより被写体の向きを判断する場合は、例えば撮影時に加速度センサで検出した重力方向と反対方向を上方向とすることができる。
【００１０】
第２の態様に係るプリンタは第１の態様において、回転させた画像及び余白領域を、余白領域が回転させた画像に対し特定の方向に位置するように配置して表示装置に表示させる表示制御部を備える。第２の態様によれば余白領域と画像との関係を事前に確認でき、意図したプリントを容易に得ることができる。なお、プリンタ自体がモニタ（表示装置）を備えている場合は、回転させた画像及び余白領域をそのモニタに表示させることができる。また、パーソナルコンピュータ、スマートフォン等の端末装置でプリンタを操作する場合は、回転させた画像及び余白領域をそれら端末装置のモニタで表示してもよい。
【００１１】
第３の態様に係るプリンタは第２の態様において、表示制御部は、表示された余白領域において、配置（第２の態様において上述したように、余白領域が回転させた画像に対し特定の方向に位置する配置）に応じた方向により、表示装置にメッセージのサンプルを表示させる。第３の態様によれば、上述した配置において余白領域にメッセージを記入した状態を表示装置で確認でき、意図したプリントを容易に得ることができる。なお、メッセージのサンプルは第２の態様と同様にプリンタ自体のモニタに表示してもよいし、スマートフォンその他の端末装置で表示してもよい。また、メッセージのサンプルは文字、数字、及び記号を含んでいてよい。
【００１２】
第４の態様に係るプリンタは第２または第３の態様において、表示制御部は、入力した画像または回転させた画像を印刷の際のインスタントフィルムの搬送方向に合わせて回転させた表示用画像を表示装置に表示させる。第４の態様のように表示画像を表示させることにより、表示装置に表示される表示用画像と印刷の際のインスタントフィルムの搬送方向とを合わせることができ、印刷状態の確認が容易である。また、表示用画像と印刷される画像の向きが異なることによるユーザの違和感も軽減できる。
【００１３】
第５の態様に係るプリンタは第１から第４の態様のいずれか１つにおいて、特定の方向は検出した被写体に対して上方向または下方向である。第５の態様は余白領域と被写体との関係の具体例を規定するものである。
【００１４】
第６の態様に係るプリンタは第１から第５の態様のいずれか１つにおいて、被写体検出部は、被写体として人物の顔を検出する。第６の態様によれば、余白領域が人物の顔に対し所望の方向に位置したプリントを得ることができる。
【００１５】
第７の態様に係るプリンタは第６の態様において、画像回転部は余白領域が人物の顔の上側に位置するように入力した画像を回転させる。第７の態様は余白領域と顔との関係の一態様を規定するもので、「上側」は例えば頭頂方向とすることができる。
【００１６】
第８の態様に係るプリンタは第６の態様において、画像回転部は余白領域が人物の顔の下側に位置するように入力した画像を回転させる。第８の態様は余白領域と顔との関係の他の態様を規定するもので、「下側」は例えば頭頂方向と反対側（顎方向）とすることができる。
【００１７】
第９の態様に係るプリンタは第６から第８の態様のいずれか１つにおいて、被写体検出部が複数の人物の顔を検出した場合において、複数の人物の顔の方向の相違が許容範囲以内であるときは、画像回転部は入力した画像を回転させる。第９の態様は複数の人物の顔の方向が許容範囲以内でばらついている場合の処理を規定するもので、例えば頭頂部と顎を結ぶ線の方向を「顔の方向」とし、「顔の方向の相違」をそのような線同士がなす角度により判断することができる。また第９の態様において、画像の回転はいずれかの顔の方向を基準として行ってもよいし、複数の顔の方向から算出した方向（例えば、複数の顔の方向の平均）を基準として行ってもよい。
【００１８】
第１０の態様に係るプリンタは第６から第８の態様のいずれか１つにおいて、被写体検出部が複数の人物の顔を検出した場合において、複数の人物の顔の方向の相違が許容範囲を超えるときは、画像回転部は入力した画像を回転させない。第１０の態様は複数の人物の顔の方向が許容範囲を超えてばらついている場合の処理を規定するもので、例えば、顔の方向が大きくばらついておりいずれかの顔に合わせて画像を回転すると他の顔が見にくくなる場合に第１０の態様のような処理を行うことができる。なお、第１０の態様において「顔の方向」及び「顔の方向の相違」は第９の態様と同様に規定することができる。
【００１９】
第１１の態様に係るプリンタは第６から第１０の態様のいずれか１つにおいて、検出した人物の顔を除く領域の一部を回転させた画像においてトリミングするトリミング部を備え、プリント部はトリミングを施した画像を印刷する。第１１の態様によれば、人物の顔が画像形成領域の多くの部分を占めるプリントを得ることができる。なおトリミングの度合い（人物の顔以外の領域をどの程度トリミングするか）は自動で設定してもよいし、ユーザ操作により設定してもよい。トリミングすることにより画像形成領域よりも小さな画像が得られた場合は、画像形成領域の大きさと一致するように画像を拡大してもよい。また、印刷の前にトリミング結果を表示装置に表示させてユーザが確認できるようにしてもよい。
【００２０】
第１２の態様に係るプリンタは第１１の態様において、回転及び／またはトリミングの内容を示す情報を入力した画像と関連づけて記憶する記憶部を備える。第１２の態様によれば、記憶した内容を読み出すことで、回転やトリミングの内容を再現したプリントを得ることができる。なお、画像と情報とを関連付けるには画像のヘッダに情報を記録してもよいし、画像と情報とを別ファイルにしてリンクさせてもよい。
【００２１】
第１３の態様に係るプリンタは第１から第１２の態様のいずれか１つにおいて、インスタントフィルムは余白領域に現像液ポッドが設けられる自己現像型インスタントフィルムであり、プリント部は、印刷の際に現像液ポッドを前方として自己現像型インスタントフィルムを搬送する。第１３の態様はインスタントフィルムの構成例を規定するもので、画像形成領域への露光後、インスタントフィルムが１対の展開ローラの間から排出されることによって現像液ポッドが押しつぶされて、内包された現像液の展開処理がおこなわれる。
【００２２】
上述した目的を達成するため、本発明の第１４の態様に係るプリンタ付きカメラは、第１から第１３の態様のいずれか１つに係るプリンタと、撮像光学系と、撮像光学系により結像された被写体の光学像を示す信号を出力する撮像素子と、を備え、画像入力部は出力された信号に基づいて生成された画像を入力する。第１４の態様によれば、カメラで撮影した画像に対し、インスタントフィルムの余白領域が被写体に対し所望の方向に位置したプリントを得ることができる。
【００２３】
上述した目的を達成するため、本発明の第１５の態様に係るプリント方法は、画像形成領域及び一辺に幅広の余白領域を有するインスタントフィルムであって、余白領域は画像形成領域とは別の領域であるインスタントフィルムに画像を印刷するプリント方法であって、画像を入力する画像入力工程と、入力した画像から被写体を検出する被写体検出工程と、検出した被写体の向きに応じて入力した画像を回転させる画像回転工程であって、回転させた画像をインスタントフィルムに印刷した場合に余白領域が被写体に対し特定の方向に位置するように入力した画像を回転させる画像回転工程と、回転させた画像をインスタントフィルムに印刷する画像印刷工程と、を含む。第１５の態様によれば、第１の態様と同様に、画像形成領域及び余白領域を有するインスタントフィルムを用いて画像を印刷する際に余白領域が被写体に対し所望の方向に位置したプリントを得ることができる。そして、そのような余白領域にメッセージを記入して見栄えのよいプリントを得ることができる。
【００２４】
なお第１５の態様において、第２〜第１４の態様と同様の構成を含めてもよい。また、それらの態様に係る方法をパーソナルコンピュータ、スマートフォン、プリンタ等の画像処理装置に実行させるプログラム、及びそのようなプログラムのコンピュータ読み取り可能なコードを記録した非一時的記録媒体も本発明の態様としてあげることができる。
【発明の効果】
【００２５】
以上説明したように、本発明のプリンタ、プリンタ付きカメラ、及びプリント方法によれば、画像形成領域及び余白領域を有するインスタントフィルムを用いて画像を印刷する際に、余白領域が被写体に対し所望の方向に位置したプリントを得ることができる。
【図面の簡単な説明】
【００２６】
【図１】図１は、第１の実施形態に係るプリンタ付きデジタルカメラを示す正面斜視図である。
【図２】図２は、第１の実施形態に係るプリンタ付きデジタルカメラを示す背面斜視図である。
【図３】図３は、第１の実施形態に係るプリンタ付きデジタルカメラを示す正面図である。
【図４】図４は、第１の実施形態に係るプリンタ付きデジタルカメラを示す背面図である。
【図５】図５は、第１の実施形態に係るプリンタ付きデジタルカメラの内部の機械的構成を示す図である。
【図６】図６は、インスタントフィルムの正面図である。
【図７】図７は、インスタントフィルムの背面図である。
【図８】図８は、第１の実施形態に係るプリンタ付きデジタルカメラの電気的構成を示す図である。
【図９】図９は、通常のプリントを説明するための図である。
【図１０】図１０は、通常のプリントを説明するための他の図である。
【図１１】図１１は、通常のプリントを説明するためのさらに他の図である。
【図１２】図１２は、第１の実施形態に係るプリント処理の手順を示すフローチャートである。
【図１３】図１３は、第１の実施形態における画像の回転を説明するための図である。
【図１４】図１４は、第１の実施形態における画像の回転を説明するための他の図である。
【図１５】図１５は、第１の実施形態におけるプリントイメージを示す図である。
【図１６】図１６は、第１の実施形態におけるプリントイメージの表示及び印刷の様子を示す図である。
【図１７】図１７は、画像回転の他の例１を説明するための図である。
【図１８】図１８は、画像回転の他の例１を説明するための図である。
【図１９】図１９は、画像回転の他の例２を説明するためのフローチャートである。
【図２０】図２０は、画像回転の他の例２を説明するための図である。
【図２１】図２１は、画像回転の他の例２を説明するための図である。
【図２２】図２２は、画像回転の他の例２を説明するための図である。
【図２３】図２３は、画像回転の他の例２を説明するための図である。
【図２４】図２４は、画像回転の他の例３を説明するための図である。
【図２５】図２５は、画像回転の他の例３を説明するための図である。
【図２６】図２６は、画像回転の他の例４を説明するための図である。
【図２７】図２７は、画像回転の他の例４を説明するための図である。
【図２８】図２８は、画像のトリミングを説明するための図である。
【図２９】図２９は、画像のトリミングを説明するための他の図である。
【図３０】図３０は、画像のトリミングを説明するためのさらに他の図である。
【図３１】図３１は、画像のトリミングを説明するためのさらに他の図である。
【図３２】図３２は、第２の実施形態に係るプリントシステムの構成を示す図である。
【発明を実施するための形態】
【００２７】
以下、添付図面を参照しつつ、本発明に係るプリンタ、プリンタ付きカメラ、及びプリント方法の実施形態について、詳細に説明する。
【００２８】
＜第１の実施形態＞
＜プリンタ付きデジタルカメラ＞
［外観構成］
図１から図４は、第１の実施形態に係るプリンタ付きデジタルカメラ１（プリンタ、プリンタ付きカメラ、画像入力部）を示す正面斜視図、背面斜視図、正面図、及び背面図である。
【００２９】
図１から図４に示すプリンタ付きデジタルカメラ１は、インスタントフィルムをプリント用のメディアとして使用するプリンタ付きデジタルカメラである。なお、図３及び図４において、矢印ｘで示す方向を左右方向とし、矢印ｙで示す方向を上下方向とする。左右方向は、横方向または幅方向と同義である。また、上下方向は高さ方向と同義である。
【００３０】
プリンタ付きデジタルカメラ１は、携帯可能なカメラボディ１０を備える。カメラボディ１０は、正面部に撮影レンズ１２、電源リング１４、第１レリーズボタン１６Ａ、第２レリーズボタン１６Ｂ、フラッシュ１８、及び、補助光ランプ２０を備える。また、カメラボディ１０は、背面部にモニタ２２及び背面操作部２４を備える。さらに、カメラボディ１０は、左側面部に撮影モード切換レバー２６を備え、天面部にプリント排出口２８を備える。
【００３１】
《カメラボディ》
カメラボディ１０は、全体として丸みを帯びた平たいブロック形状を有する。カメラボディ１０は、左右いずれの手でもグリップできるように、全体として左右対称な形状を有する。
【００３２】
カメラボディ１０は、本体部１０Ａ及び裏蓋部１０Ｂで構成される。裏蓋部１０Ｂは、カメラボディ１０の背面部を構成し、ヒンジ部１０Ｃを介して本体部１０Ａに開閉可能に設けられる。本体部１０Ａには、裏蓋部１０Ｂをロックする裏蓋部ロック機構が備えられる。裏蓋部１０Ｂは、閉じられると、裏蓋部ロック機構によって自動的にロックされる。ロックの解除は、裏蓋部１０Ｂに備えられたスライド式のロック解除レバー３０で行われる。ただし、プリント中は、操作が不能とされる。すなわち、プリント中は、裏蓋部１０Ｂが開けられないように強制的にロックされる。
【００３３】
《撮影レンズ》
撮影レンズ１２（撮像光学系）は、カメラボディ１０の正面の略中央位置に配置される。撮影レンズ１２は、単焦点レンズで構成される。
【００３４】
《電源リング》
電源リング１４は、プリンタ付きデジタルカメラ１の電源をオン及びオフする操作部材である。電源リング１４は、リング形状を有し、撮影レンズ１２と同軸上に配置される。電源リング１４は、撮影レンズ１２の回りを回転操作されて、プリンタ付きデジタルカメラ１の電源をオン及びオフする。電源リング１４の可動範囲は制限されており、可動範囲の一端まで回転させると、プリンタ付きデジタルカメラ１の電源がオンされ、可動範囲の他端まで回転させると、プリンタ付きデジタルカメラ１の電源がオフされる。
【００３５】
《第１レリーズボタン及び第２レリーズボタン》
第１レリーズボタン１６Ａ及び第２レリーズボタン１６Ｂは、撮影指示部の一例であり、撮影を指示する操作部材である。第１レリーズボタン１６Ａ及び第２レリーズボタン１６Ｂはカメラボディ１０の正面に備えられ、左右対称に配置される。第１レリーズボタン１６Ａ及び第２レリーズボタン１６Ｂは、いわゆる「半押し」（ストロークの途中まで押し込む操作）と「全押し」（ストロークを全て押し込む操作）が可能な２段ストローク式の押圧ボタンで構成される。プリンタ付きデジタルカメラ１は、第１レリーズボタン１６Ａまたは第２レリーズボタン１６Ｂの半押しで撮影準備が行われ、全押しで本撮影が行われる。本撮影とは、画像を記録するための撮影のことである。
【００３６】
《フラッシュ》
フラッシュ１８は、カメラボディ１０の正面に備えられ、撮影レンズ１２の略真上の位置に配置される。フラッシュ１８は、キセノン管で構成される。
【００３７】
《補助光ランプ》
補助光ランプ２０は、ＡＦ（AF : Auto Focus／自動焦点）用の補助光を発光するランプである。補助光ランプ２０は、暗い環境で撮影する場合に発光されＡＦの補助に供される。補助光ランプ２０はＬＥＤ（LED : Light Emitting Diode／発光ダイオード）で構成され、カメラボディ１０の正面に備えられる。
【００３８】
《モニタ》
モニタ２２は、表示装置の一例である。モニタ２２は、カラー液晶ディスプレイで構成され、カメラボディ１０の背面に備えられる。モニタ２２はいわゆるワイドモニタであり、横長の画面を有する。
【００３９】
《背面操作部》
背面操作部２４は、メニューボタン２４ａ、コマンドダイヤル２４ｂ、及び、６つの機能ボタン２４ｃ１〜２４ｃ６を備える。メニューボタン２４ａ、コマンドダイヤル２４ｂ、及び６つの機能ボタン２４ｃ１〜２４ｃ６は同心円状に配置され、全体として円形の操作部を構成する。背面操作部２４は、カメラボディ１０の背面に備えられる。モニタ２２と背面操作部２４は共にカメラボディ１０の背面の幅方向の中央に配置され、上下に並べて配置される。
【００４０】
〈メニューボタン〉
メニューボタン２４ａはモニタ２２にメニュー画面を呼び出すボタンであり、円形の押圧ボタンで構成される。メニューボタン２４ａは、背面操作部２４の中央に配置される。メニューボタン２４ａを押圧することにより、モニタ２２にメニュー画面が表示される。
【００４１】
メニューボタン２４ａは、ＯＫボタンとしても機能する。ＯＫボタンとは、問い合わせに対してＯＫを指示するボタンである。プリントする場合、ユーザは、メニューボタン２４ａを押圧してＯＫを指示し、プリントの指示を確定する。
【００４２】
〈コマンドダイヤル〉
コマンドダイヤル２４ｂは、リング状のタッチセンサで構成され、その表面を円に沿ってなぞることで回転操作される。コマンドダイヤル２４ｂは、十字キーとしての機能をも備え、上下左右の４方向に押圧操作可能に構成される。
【００４３】
コマンドダイヤル２４ｂはメニューボタン２４ａと同軸上に配置され、かつメニューボタン２４ａの外周部に配置される。
【００４４】
〈機能ボタン〉
６つの機能ボタン２４ｃ１〜２４ｃ６は同一円周上に配置され、全体として１つの円を構成する。各ボタンは、同一形状であり、リングを６等分割した形状を有する。各ボタンは、押圧ボタンで構成される。
【００４５】
機能ボタン２４ｃ１は、ビネットボタン（ビネット：vignette）としての機能を有する。ビネットボタンとは、画像にビネット処理を施す機能を呼び出すボタンのことである。ビネット処理とは、画像の周辺を暗くする処理のことである。
【００４６】
機能ボタン２４ｃ２は、エフェクトボタンとしての機能を有する。エフェクトボタンとは、画像にエフェクト処理を施す機能を呼び出すボタンのことである。エフェクト処理とは画像に一定の効果を与える処理のことであり、たとえば、画像の色調を変更したり、ぼかしたりする処理が該当する。
【００４７】
機能ボタン２４ｃ３は、明るさボタンとしての機能を有する。明るさボタンとは、画像の明るさを変更する機能を呼び出すボタンのことである。
【００４８】
機能ボタン２４ｃ４は、プリントボタンとしての機能を有する。プリントボタンとは、モニタ２２に表示中の画像に対してプリントを指示するボタンのことである。
【００４９】
機能ボタン２４ｃ５は、バックボタンとしての機能を有する。バックボタンとは、１つ前の状態に戻すことを指示するボタンのことである。１つ前の状態に戻すので、選択、指示等の取り消しを指示するボタン、すなわちキャンセルボタンとしての機能も有する。
【００５０】
機能ボタン２４ｃ６は、再生ボタンとしての機能を有する。再生ボタンとは、再生モードへの切り換えを指示するボタンのことである。動作モードが撮影モードに設定されている状態で機能ボタン２４ｃ６を押圧すると、動作モードが再生モードに切り換えられる。
【００５１】
なお、再生モードから撮影モードへの切り換えは、第１レリーズボタン１６Ａ及び第２レリーズボタン１６Ｂで行われる。動作モードが再生モードに設定されている状態で第１レリーズボタン１６Ａまたは第２レリーズボタン１６Ｂが押圧されると、動作モードが撮影モードに切り換えられる。
【００５２】
《撮影モード切換レバー》
撮影モード切換レバー２６は、撮影モード切換部の一例であり、撮影モードを切り換えるための操作部材である。撮影モード切換レバー２６は、スライド式のスイッチで構成され、カメラボディ１０の左側面に備えられる。撮影モード切換レバー２６をスライド操作して、「オート位置」に設定すると、撮影モードが「オートモード」に設定される。また、「マニュアル位置」に設定すると、撮影モードが「マニュアルモード」に設定される。
【００５３】
オートモードの場合、撮影すると、直ちにプリント処理が実行される。一方、マニュアルモードの場合、撮影すると、撮影した画像がモニタ２２に表示され、プリントの指示を待ってプリント処理が実施される。この点については、後に詳述する。
【００５４】
《プリント排出口》
プリント排出口２８は、プリントされたインスタントフィルムの排出口である。プリント排出口２８は、インスタントフィルム１１０が通過可能なスリットとして、カメラボディ１０の天面の幅方向の中央に備えられる。インスタントフィルム１１０は、プリント排出口２８から真上に向けて排出される。
【００５５】
［内部の機械的構成］
図５は、プリンタ付きデジタルカメラ１の内部の機械的構成を示す図である。なお、図５には主要部の構成のみを示している。また、図５において、矢印ｚで示す方向を厚さ方向とする。
【００５６】
プリンタ付きデジタルカメラ１の内部には、デジタルカメラに係る構成として、撮影レンズ１２（撮像光学系）及びイメージセンサ４２（撮像素子）が備えられ、被写体の光学像が撮影レンズ１２によりイメージセンサに結像する。また、プリンタに係る構成として、インスタントフィルムパック１００、フィルム装填室５０、フィルム送出機構５２、フィルム搬送機構５４、及び、プリントヘッド５６が備えられる。
【００５７】
《デジタルカメラに係る構成》
〈撮影レンズ〉
撮影レンズ１２は、フォーカスレンズを含む複数のレンズで構成される。なお、図５では簡略化して１枚のレンズのみを図示している。撮影レンズ１２は、フォーカスレンズを光軸に沿って前後移動させることで、焦点調節される。
【００５８】
撮影レンズ１２には、絞り１２ａ及びシャッタ１２ｂが備えられる。絞り１２ａによって撮影レンズ１２を通る光の光量が調整される。シャッタ１２ｂによって、撮影レンズ１２を通る光が遮光される。
【００５９】
〈イメージセンサ〉
イメージセンサ４２は、たとえば、ＣＣＤイメージセンサ（CCD ： Charge Coupled Device）、ＣＭＯＳイメージセンサ（CMOS : Complementary Metal Oxide Semiconductor）等の二次元の固体撮像素子で構成され、撮影レンズ１２により結像された被写体の光学像を示す信号を出力する。イメージセンサ４２は、使用するインスタントフィルムの露光領域に対応したアスペクト比の撮像領域を有する。
【００６０】
《プリンタに係る構成》
〈インスタントフィルムパック〉
インスタントフィルムパック１００は、複数枚のインスタントフィルム１１０がケース１２０に収容された構造を有する。
【００６１】
図６は、インスタントフィルム１１０の正面図である。図７は、インスタントフィルム１１０の背面図である。
【００６２】
図６及び図７において、矢印Ｆで示す方向が、インスタントフィルム１１０の使用方向である。すなわち、矢印Ｆで示す方向にインスタントフィルム１１０を搬送してインスタントフィルム１１０を使用する。したがって、プリンタ付きデジタルカメラ１に装填した場合は、矢印Ｆで示す方向が、インスタントフィルム１１０の排出方向となる。
【００６３】
インスタントフィルム１１０は、矩形のカード形状を有する自己現像型インスタントフィルムである。インスタントフィルム１１０は、裏面側が露光面１１０ａ、正面側が観察面１１０ｂとして構成される。露光面１１０ａは露光により像を記録する面であり、観察面１１０ｂは記録された像を観察する面である。
【００６４】
図６に示すように、インスタントフィルム１１０の観察面１１０ｂには、観察部１１８が備えられる。観察部１１８は、画像が表示される部分（画像形成領域）である。露光部１１２（図７参照）を現像処理することにより、観察部１１８に画像が表示される。観察部１１８は、露光部１１２に対応して配置される。観察部１１８の周囲には、枠１１８ａが備えられ、画像は枠１１８ａ（画像形成領域）の内に表示される。観察部１１８のアスペクト比は露光部１１２と同じ１対１であり、正方形状を有する。観察面１１０ｂにおいて、裏面にポッド部１１４（図７参照；現像液ポッド）が配置される領域、すなわち観察面１１０ｂにおける画像形成領域とは別の領域のうちインスタントフィルム１１０の一辺（搬送方向において前側）に存在する搬送方向に幅広の領域が余白領域１１５であり、ユーザは後述するように余白領域１１５にメッセージを記入することができる。
【００６５】
図７に示すように、インスタントフィルム１１０の露光面１１０ａには、露光部１１２、ポッド部１１４、及び、トラップ部１１６が備えられる。
【００６６】
露光部１１２は、露光により画像を記録する部分である。露光部１１２を挟んでポッド部１１４とトラップ部１１６とが前後（表裏）に配置される。第１の実施形態に係るインスタントフィルム１１０は、アスペクト比が１対１の正方形状の露光部１１２を有する。
【００６７】
ポッド部１１４は、露光部１１２に対して矢印Ｆ方向の前側に配置される。ポッド部１１４には、現像処理液を内包した現像処理液ポッド１１４ａが内蔵される。第１の実施形態では、このポッド部１１４の観察面１１０ｂ側の領域が余白領域１１５である。
【００６８】
トラップ部１１６は、露光部１１２に対して矢印Ｆ方向の後側に配置される。トラップ部１１６には、現像処理液の吸収材１１６ａが内蔵される。
【００６９】
なお通常の場合、インスタントフィルム１１０は、トラップ部１１６が画像の上側、ポッド部１１４が画像の下側となる向きでプリントされ（図１１参照）、トラップ部１１６が上側、ポッド部１１４が下側となる向き（プリント時と逆向き）で観賞されるが、後述するようにユーザの指示に応じて画像を回転して印刷される。初期状態（ユーザの指示が無い状態）で画像がトラップ部１１６とポッド部１１４とのどちらを上にして印刷されるか（余白領域が画像の上側となるか下側となるか）は、背面操作部２４の操作により設定できる。
【００７０】
インスタントフィルム１１０は、露光後、ポッド部１１４の現像処理液を露光部１１２に展開させることにより現像処理される。ポッド部１１４の現像処理液は、インスタントフィルム１１０をローラ対の間に通すことでポッド部１１４から絞り出され、露光部１１２に展開される。展開処理時に余った現像処理液が、トラップ部１１６で捕捉される。
【００７１】
ケース１２０は、矩形の箱形状を有する。ケース１２０は、正面部分に露光用の開口部１２０ａを有し、かつ、天面部分にスリット状の排出口１２０ｂを有する。インスタントフィルム１１０は、露光面１１０ａをケース１２０の正面側に向け、かつ、ポッド部１１４をケース１２０の天面側に向けて、ケース１２０内に重ねて収容される。
【００７２】
また、ケース１２０は、底面部分にスリット状のクロー開口部１２０ｃを有する。ケース１２０に収容されたインスタントフィルム１１０は、このクロー開口部１２０ｃからクロー５２ａを進入させることにより１枚ずつ排出口１２０ｂに向けて送られ、排出口１２０ｂから排出される。
【００７３】
１つのインスタントフィルムパック１００には、１０枚のインスタントフィルム１１０が収容される。
【００７４】
〈フィルム装填室〉
フィルム装填室５０は、インスタントフィルムパック１００を収容可能な凹部としてカメラボディ１０の本体部１０Ａに備えられる。カメラボディ１０の裏蓋部１０Ｂを開けると、フィルム装填室５０が露呈し、インスタントフィルムパック１００の装填が可能になる。
【００７５】
〈フィルム送出機構〉
フィルム送出機構５２は、フィルム装填室５０に装填されたインスタントフィルムパック１００からインスタントフィルム１１０を１枚ずつ送り出す。フィルム送出機構５２は、インスタントフィルム１１０の送り方向に沿って前後移動するクロー５２ａを備え、そのクロー５２ａでケース１２０内のインスタントフィルム１１０を１枚ずつ掻き出して、インスタントフィルム１１０をインスタントフィルムパック１００から送り出す。
【００７６】
〈フィルム搬送機構〉
フィルム搬送機構５４は、フィルム送出機構５２によってインスタントフィルムパック１００から送出されたインスタントフィルム１１０を一定速度で搬送する。フィルム搬送機構５４は、搬送ローラ対５４Ａ及び展開ローラ対５４Ｂを備える。
【００７７】
搬送ローラ対５４Ａは、図示しないモータに駆動されて回転し、インスタントフィルム１１０の両サイドを挟持して搬送する。
【００７８】
展開ローラ対５４Ｂは、図示しないモータに駆動されて回転し、インスタントフィルム１１０の全体を挟持して搬送する。そして、その搬送過程でインスタントフィルム１１０のポッド部１１４を押し潰して、現像処理液を展開処理する。
【００７９】
〈プリントヘッド〉
プリントヘッド５６は、インスタントフィルムパック１００から送り出されたインスタントフィルム１１０に画像を記録する。プリントヘッド５６は、ライン型の露光ヘッドで構成される。プリントヘッド５６は、フィルム搬送機構５４によって搬送されるインスタントフィルム１１０の露光面１１０ａに１ラインずつプリント光を照射し、１パスでインスタントフィルム１１０に画像を記録する。
【００８０】
第１の実施形態に係るプリンタ付きデジタルカメラ１では、フィルム送出機構５２、フィルム搬送機構５４、及び、プリントヘッド５６はプリント部の構成要素である。
【００８１】
［電気的構成］
図８は、プリンタ付きデジタルカメラ１の電気的構成を示す図である。なお、図８には、主要部の構成のみを図示している。
【００８２】
プリンタ付きデジタルカメラ１は、デジタルカメラに係る構成として、撮影レンズ１２、撮影レンズ駆動部２１２、イメージセンサ４２、イメージセンサ駆動部２１４、アナログ信号処理部２１６、画像データ入力部２１８、デジタル信号処理部２２０、及び、内部メモリ２２２を備える。また、プリンタに係る構成として、フィルム送出機構５２、フィルム送出機構駆動部２３０、フィルム搬送機構５４、フィルム搬送機構駆動部２３２、プリントヘッド５６、プリントヘッド駆動部２３４、プリント用画像信号処理部２３６を備える。さらに、デジタルカメラ及びプリンタに共通の構成として、システムコントローラ２４０、ワークメモリ２４２、データメモリ２４４、モニタ２２、モニタ駆動部２４６、操作部２４８、及び、電源部２５０を備える。システムコントローラ２４０（画像入力部、画像回転部、プリント部、表示制御部、トリミング部）がこれらの要素を制御する。
【００８３】
《デジタルカメラに係る構成》
〈撮影レンズ駆動部〉
撮影レンズ駆動部２１２は、撮影レンズ１２の駆動手段である。撮影レンズ駆動部２１２は、フォーカスレンズ、絞り１２ａ、及びシャッタ１２ｂを駆動する。撮影レンズ駆動部２１２は、システムコントローラ２４０の制御の下、撮影レンズ１２を駆動する。
【００８４】
〈イメージセンサ駆動部〉
イメージセンサ駆動部２１４は、イメージセンサ４２の駆動手段である。イメージセンサ駆動部２１４は、システムコントローラ２４０の制御の下、イメージセンサ４２を駆動する。
【００８５】
〈アナログ信号処理部〉
アナログ信号処理部２１６は、イメージセンサ４２から出力された信号を取り込み、相関二重サンプリング処理、増幅処理等の信号処理を施し、デジタル画像信号に変換して出力する。
【００８６】
〈画像データ入力部〉
画像データ入力部２１８（画像データ入力部）は、システムコントローラ２４０の制御の下、アナログ信号処理部２１６から出力されるデジタルの画像信号を取り込む。取り込まれた１枚分の画像データは、ワークメモリ２４２に格納される。
【００８７】
〈デジタル信号処理部〉
デジタル信号処理部２２０は、ワークメモリ２４２に取り込まれた画像データに対して、同時化処理、ホワイトバランス補正、ガンマ補正、輪郭補正等の信号処理を施し、輝度データ（Ｙデータ）と色差データ（Ｃｒ，Ｃｂデータ）とからなる画像データを生成する。
【００８８】
また、デジタル信号処理部２２０は、システムコントローラ２４０の制御の下、画像データを加工処理する。
【００８９】
〈内部メモリ〉
内部メモリ２２２（記憶部）は、撮影により得られた画像を記憶する。また、内部メモリ２２２は、画像の回転及び／またはトリミングの内容を示す情報を画像と関連づけて記憶する。内部メモリ２２２は、例えばＥＥＰＲＯＭ （ＥＥＰＲＯＭ：Electrically Erasable Programmable Read Only Memory）等の不揮発性メモリで構成される。なお、内部メモリ２２２に記憶された画像及び情報は図示せぬインタフェース部によりメモリカード等の記録媒体に記録してもよい。またメモリカード等に記録した画像及び情報をインタフェース部を介して入力し、後述する画像の回転やトリミング、印刷に用いてもよい。
【００９０】
《プリンタに係る構成》
〈フィルム送出機構駆動部〉
フィルム送出機構駆動部２３０は、フィルム送出機構５２の駆動手段である。フィルム送出機構駆動部２３０は、システムコントローラ２４０の制御の下、クロー５２ａを駆動する。
【００９１】
〈フィルム搬送機構駆動部〉
フィルム搬送機構駆動部２３２は、フィルム搬送機構５４の駆動手段である。フィルム搬送機構駆動部２３２は、システムコントローラ２４０から指令に応じて、搬送ローラ対５４Ａ及び展開ローラ対５４Ｂを回転駆動する。
【００９２】
〈プリントヘッド駆動部２３４〉
プリントヘッド駆動部２３４は、プリントヘッド５６の駆動手段である。プリントヘッド駆動部２３４は、システムコントローラ２４０の制御の下、プリントヘッド５６を駆動する。
【００９３】
〈プリント用画像信号処理部〉
プリント用画像信号処理部２３６（被写体検出部、画像回転部、トリミング部、プリント部）は、システムコントローラ２４０の制御の下、プリント用の画像データを生成する。プリント用の画像データとは、プリントヘッド５６によってインスタントフィルム１１０に記録するための画像データのことである。プリントヘッド５６は、プリント用画像信号処理部２３６で生成されたプリント用の画像データに基づいて駆動され、インスタントフィルム１１０に画像を記録する。また、プリント用画像信号処理部２３６は、システムコントローラ２４０の制御の下、後述する被写体検出、画像回転、トリミングを行う。
【００９４】
《デジタルカメラ及びプリンタに共通の構成》
〈システムコントローラ〉
システムコントローラ２４０は、プリンタ付きデジタルカメラ１の全体を制御する。システムコントローラ２４０はコンピュータで構成され、各種のプログラム（本発明に係るプリント方法を実行するためのプログラムを含む）を実行することにより、各種機能を提供する。
【００９５】
〈ワークメモリ〉
ワークメモリ２４２は、作業用のメモリである。ワークメモリ２４２は、たとえば、ＳＤＲＡＭ（SDRAM : Synchronous Dynamic Random Access Memory）等で構成される。
【００９６】
〈データメモリ〉
データメモリ２４４は、制御用のプログラム、制御に必要な各種データ等を記憶するメモリである。データメモリ２４４は、ＥＥＰＲＯＭ等の不揮発性メモリで構成される。
【００９７】
〈モニタ駆動部〉
モニタ駆動部２４６（表示制御部）は、モニタ２２の駆動手段である。モニタ駆動部２４６は、システムコントローラ２４０の制御の下、モニタ２２を駆動する。
【００９８】
〈操作部〉
操作部２４８は、電源リング１４、第１レリーズボタン１６Ａ、第２レリーズボタン１６Ｂ、背面操作部２４、及び、撮影モード切換レバー２６で構成される。操作部２４８は、各操作部材の操作に応じた信号をシステムコントローラ２４０に出力する。
【００９９】
〈電源部〉
電源部２５０は、システムコントローラ２４０の制御の下、各部に電源を供給する。電源部２５０は、電源としてのバッテリ、及び、電源回路を備える。
【０１００】
［作用］
プリンタ付きデジタルカメラ１は、動作モードとして、撮影モード及び再生モードを有する。プリンタ付きデジタルカメラ１は、撮影モードに設定することにより画像を撮影でき、撮影した画像を内部メモリ２２２に記録できる。また、再生モードに設定することにより、内部メモリ２２２に記録された画像を再生できる。また、撮影モードに設定した場合には、撮影した画像をその場でプリントでき、再生モードに設定した場合には、再生中の画像をプリントできる。
【０１０１】
《撮影モード》
プリンタ付きデジタルカメラ１は、電源を投入すると撮影モードの状態で起動する。撮影モードにはオートモード及びマニュアルモードがあり、オートモードとマニュアルとの切り換えは撮影モード切換レバー２６で行われる。オートモードの場合は撮影すると直ちにプリント処理が実行され、一方、マニュアルモードの場合は、撮影すると撮影した画像がモニタ２２に表示され、プリントの指示を待ってプリント処理が実施される。
【０１０２】
＜通常のプリント＞
ここで、通常のプリント（本発明のプリント方法による画像の回転を行わない場合）における被写体と余白領域との関係について説明する。以下、被写体が図９のような人物Ｐ１であるものとし、人物Ｐ１の顔の上下方向はプリンタ付きデジタルカメラ１の上下方向と一致しているものとする。このような人物Ｐ１を撮影すると、通常のプリントは図１０の（ａ）部分のように印刷され、図１０の（ｂ）部分のような向きで観賞に供される。すなわち、インスタントフィルム１１０は余白領域１１５（観察面１１０ｂにおいて、裏面にポッド部１１４が位置する領域）が搬送方向（矢印Ｆ）の前方になるように搬送される（図１０，１１参照）。図１１中、紙面側が観察面１１０ｂであり、紙面と反対側が露光面１１０ａである。したがって、通常のプリント（図１０，１１の状態）では、観賞時には余白領域１１５は人物Ｐ１の下側になる。なお、図１１では印刷時にプリントイメージ（印刷される画像及び余白領域が画像の回転に応じて配置された画像）をモニタ２２に表示している。図１１ではプリントイメージの明度を下げて表示しているが、彩度を下げてもよい。
【０１０３】
このようなプリントの余白領域１１５にメッセージを記入する場合、メッセージは人物Ｐ１の下側になるが、ユーザによってはメッセージが被写体の下側に位置することを好まない場合があり、そのようなユーザにとっては上述の処理では希望通りのプリントを得ることができない。そこで第１の実施形態では、以下のプリント処理を行う。なお、背面操作部２４の操作により、初期状態での印刷方向は図１０，１１に示す方向となるように設定されているものとする。
【０１０４】
＜第１の実施形態に係るプリント処理＞
次に、第１の実施形態に係るプリント処理について説明する。図１２はプリント処理の手順を示すフローチャートである。なお、被写体は図９の人物Ｐ１であるものとする。
【０１０５】
プリンタ付きデジタルカメラ１が起動すると、システムコントローラ２４０はモニタ２２に対してライブビュー表示を行い、ライブビュー表示の状態でユーザの撮影指示に応じて撮影が行われる。ライブビュー表示とはイメージセンサ４２で捉えた画像をモニタ２２にリアルタイムに表示することであり、「スルー表示」とも呼ばれる。撮影指示は、第１レリーズボタン１６Ａまたは第２レリーズボタン１６Ｂの全押しで行われる。なお、その前段階として、第１レリーズボタン１６Ａまたは第２レリーズボタン１６Ｂの半押しで撮影準備が行われる。すなわち測光及び測距が行われ、露出の設定及び焦点合わせが行われる。
【０１０６】
第１レリーズボタン１６Ａまたは第２レリーズボタン１６Ｂの半押し後、これらボタンのいずれかを全押しすることで本撮影が指示され、本撮影の処理が実施される（ステップＳ１００；画像入力工程）。すなわち、設定された露出でイメージセンサ４２を露光し、記録用の画像を取り込む。取り込んだ画像は、撮影画像として内部メモリ２２２に記録される。
【０１０７】
オートモードの場合、システムコントローラ２４０は以下の処理を実行し、回転した画像が印刷される。マニュアルモードの場合は、以下の処理が実行されて撮影画像が回転され余白領域１１５と共にモニタ２２にプレビュー表示され（図１２のステップＳ１０８）、この状態でプリントボタン及びＯＫボタンが押圧されるとプリントの指示が確定して、システムコントローラ２４０が以下の処理を実行する。
【０１０８】
ステップＳ１０２（被写体検出工程）では本撮影処理に続いて撮影画像の被写体を検出し、検出結果に基づいてステップＳ１０４（被写体検出工程）で人物の顔を検出したか否か判断する。これらの処理は、システムコントローラ２４０の制御の下でプリント用画像信号処理部２３６が行う。顔検出は、種々の公知の方法を用いることができる。例えば、撮影画像において対象領域の位置を移動させながら対象領域の画像と顔画像テンプレートとを照合し、両者の相関を調べる。そして、相関スコアが予め設定されたしきい値を越えると、その対象領域を顔領域として認定する。顔が検出されない場合には、対象領域の大きさを変えながら処理を繰り返す。なお、顔検出方法として、顔に含まれる特徴領域（例えば、肌色の領域を有する、肌色領域の中に黒色領域（目）を有する、肌色領域が顔の形状を有する等）を顔領域として検出する方法等を利用することもできる。なおステップＳ１０２，Ｓ１０４において人物の顔を検出しなかった場合は、ステップＳ１０６，Ｓ１０８の処理をスキップしてステップＳ１１０に進む。
【０１０９】
ここでは、図１３のように撮影画像Ｉｍ０において人物Ｐ１の顔が検出された（ステップＳ１０４でＹｅｓ）ものとする。図１３において、一点鎖線は顔検出用の枠Ｇ１（印刷されない）を示す。なお、顔検出には必ずしも枠を用いる必要はない。また、以降の図において枠は適宜省略する。
【０１１０】
ステップＳ１０６では、顔検出の結果に基づいて撮影画像Ｉｍ０を回転する（画像回転工程）。図１３の例では顔の上下方向Ｄ１が撮影画像Ｉｍ０の上下方向Ｄ０と一致しているので、上下方向Ｄ１が搬送方向（矢印Ｆの方向）と一致するように撮影画像Ｉｍ０を１８０度回転させる。回転により得られた画像（画像Ｉｍ１）を図１４に示す。なお、上述した顔検出用の枠、及び顔の上下方向を示す矢印をモニタ２２に表示する必要はない。
【０１１１】
図１３，１４に示すような画像の回転及び表示に際して、顔（被写体）の上下方向は顔検出（画像処理）の結果から判断してもよいし、撮影時のプリンタ付きデジタルカメラ１の向きで判断してもよい。「撮影時のプリンタ付きデジタルカメラ１の向き」は、例えば加速度センサで検出した重力方向を上方向とすることで決定することができる。
【０１１２】
ステップＳ１０６で撮影画像Ｉｍ０を回転して画像Ｉｍ１が得られたら、プリントイメージＩｍ２（画像Ｉｍ１及び余白領域１１５が画像の回転に応じて配置された画像；表示用画像の一例）をモニタ２２に表示する（ステップＳ１０８；図１６参照）。回転した画像Ｉｍ１を印刷する場合、人物Ｐ１の上方向（「特定の方向」の一例）に余白領域１１５が位置するように搬送される（図１５，１６の矢印Ｆ方向）ので、プリントイメージＩｍ２においては余白領域１１５を画像Ｉｍ１に対し人物Ｐ１の上方向に配置する（図１５参照）。
【０１１３】
図１５，１６に示すように、プリントイメージＩｍ２を表示する際は、メッセージのサンプル（図１５ではサンプルＭ１）を、画像Ｉｍ１の上部に位置するように配置された余白領域１１５に表示する。第１の実施形態では、このような表示により余白領域１１５にメッセージを記入した状態を確認でき、意図したプリントを容易に得ることができる。なおメッセージのサンプルの内容は特に限定されず、また表示は文字、数字、記号、図形により行ってよい。図１５のサンプルＭ１はユーザが手書きで記入することを想定して手書き文字風に表示しているが、文字等の種類はこのような態様に限定されない。
【０１１４】
ステップＳ１１０では、印刷指示の有無を判断する。この判断はメニューボタン２４ａの押圧の有無によって行うことができる。具体的にはＯＫボタンであるメニューボタン２４ａを押圧するとプリント指示が確定し、バックボタンである機能ボタン２４ｃ５を押すとプリントの指示がキャンセルされる。なおプリント指示及びキャンセルは、モニタ２２にプリント指示用ダイアログを表示して行うことができる。また、印刷指示の有無の判断はマニュアルモードの場合のみ行い、オートモードの場合はステップＳ１１０をスキップしてもよい。
【０１１５】
プリントイメージＩｍ２をモニタ２２に表示した状態でメニューボタン２４ａを押圧すると、プリント指示が確定して図１６に示すように印刷が行われる（ステップＳ１１２；画像印刷工程）。上述のように第１の実施形態では撮影画像Ｉｍ０を１８０度回転して画像Ｉｍ１としているので、モニタ２２に表示されたプリントイメージＩｍ２における被写体の向きと排出されるインスタントフィルム１１０における被写体の向きとが一致しており、ユーザが違和感を覚えることがない。なお通常のプリントについて上述したのと同様に、モニタ２２に表示するプリントイメージＩｍ２は明度及び／または彩度を下げて表示してもよい。
【０１１６】
印刷が終了するとステップＳ１１４に進み、撮影画像Ｉｍ０と画像の回転情報（ここでは、撮影画像Ｉｍ０を１８０度回転したこと）を関連づけて内部メモリ２２２に記憶する。回転情報は画像ファイルのヘッダ部分に記録してもよいし、別ファイルに記録して画像ファイルとリンクさせてもよい。このような記憶により、ユーザの指示に応じて画像の回転を再現することができる。
【０１１７】
以上説明したように、プリンタ付きデジタルカメラ１によれば、顔検出の結果に基づいて撮影画像Ｉｍ０を回転し、回転した画像Ｉｍ１と余白領域１１５とを含むプリントイメージＩｍ２をモニタ２２に表示するので、画像Ｉｍ１と余白領域１１５との位置関係を印刷前に確認することができる。また、余白領域１１５の配置方向（顔の上側）に合わせてメッセージのサンプル（図１５のサンプルＭ１を参照）をモニタに表示するので、余白領域１１５にメッセージを記入した状態を印刷前に確認することができる。
【０１１８】
このように、第１の実施形態によれば、画像形成領域及び余白領域を有するインスタントフィルムを用いて画像を印刷する際に、余白領域が被写体に対し所望の方向に位置したプリントを得ることができる。
【０１１９】
なお、上述した第１の実施形態では余白領域が顔の上側に位置するように撮影画像を回転させる場合について説明したが、ユーザは余白領域が顔の下側に位置することを好む場合もある。そこでこのような場合は、ステップＳ１１０において背面操作部２４（機能ボタン２４ｃ１〜２４ｃ６）の操作に応じてＮｏと判定してステップＳ１０６に戻り、画像Ｉｍ１を再度回転して通常通りプリントしてもよい。この場合、図１０に示すように余白領域１１５が人物Ｐ１の下側に位置するプリントが得られる。
【０１２０】
また、プリンタ付きデジタルカメラ１では、上述のように初期状態（ユーザの指示が無い状態）での印刷方向（図１５，１６のどちらであるか）は背面操作部２４の操作により設定できるので、「初期状態では図１６のように設定されているが、ユーザが図１５のように印刷することを好む」場合もある。このような場合も、第１の実施形態と同様に撮影画像を回転しプリントイメージとしてモニタ２２に表示し、印刷を行うことができる。
【０１２１】
＜画像回転の他の例１＞
上述した第１の実施形態では、被写体の顔の向きが画像の上下方向と一致している場合について説明した（図１３参照）。しかし被写体の向きやユーザによるプリンタ付きデジタルカメラ１の保持方向によっては、顔の向きが画像の上下方向と一致せず斜めになっている場合がある。以下、そのような場合の画像の回転について説明する。
【０１２２】
図１７は顔の向きが斜めである場合の撮影画像Ｉｍ３を示す図である（図１７中、矢印Ｆは印刷時の搬送方向を示す）。図１７では、被写体である人物Ｐ２の顔（枠Ｇ２により検出）の上下方向Ｄ２が撮影画像Ｉｍ３の上下方向Ｄ０と一致せず斜めになっている。この場合、上述した第１の実施形態と同様に、顔の上下方向Ｄ２が撮影画像Ｉｍ３の上下方向Ｄ０と反対方向である方向Ｄ３と一致するように約１８０度回転させることができ、その結果回転させた画像は図１４に示す画像Ｉｍ１と同様になる。したがって被写体である人物Ｐ２と余白領域１１５との関係は図１５に示すプリントイメージＩｍ２と同様になって、図１６について説明したのと同様の表示及び印刷が行われる。
【０１２３】
一方、図１７の状態において、上述した「通常の状態」と同様に顔の上下方向Ｄ２が撮影画像Ｉｍ３の上下方向Ｄ０と一致するように回転させることもできる。この場合、図１８の（ａ）部分に示すように、回転後の画像Ｉｍ３ａに対し余白領域１１５は顔の下側（「特定の方向」の一例）に位置する。したがって、回転後の画像Ｉｍ３ａ及び余白領域１１５を含むプリントイメージＩｍ４（表示用画像）をモニタ２２に表示することができる。この際、余白領域１１５にメッセージのサンプルＭ１を合わせて表示する。
【０１２４】
なお、図１８の（ａ）部分に示すプリントイメージＩｍ４をモニタ２２に表示すると、顔が下向きになりユーザは見づらいと感じる可能性がある。そこでモニタ２２に表示する際は、顔が上向きになるように回転させたプリントイメージをモニタ２２に表示してもよい。この際、プリントイメージＩｍ４における被写体（人物Ｐ２）とサンプルＭ１との位置関係を保ったまま単純に１８０度回転させると、図１８の（ｂ）部分に示すように人物Ｐ２の顔の上下方向とサンプルＭ１ａの上下方向が逆になり、ユーザはプリントイメージＩｍ４ａを視認しにくくなってしまう。そこでこのような場合は、プリントイメージを回転する際にその回転に合わせてサンプルも回転し、図１８の（ｃ）部分に示すプリントイメージＩｍ４ｂのように人物Ｐ２の顔の上下方向とサンプルＭ１ｂの上下方向を揃えて表示すればよい。これによりユーザはプリントイメージＩｍ４ｂ（画像Ｉｍ３ｂと、その下側に配置されたサンプルＭ１ｂを含む）を容易に視認することができる。なお、このようなプリントイメージの回転はモニタ２２への表示に関してのみ行われるので、プリントイメージＩｍ４ｂのように表示する場合、印刷の際は、モニタ２２上のプリントイメージの向きと搬送されるインスタントフィルム１１０上の画像の向きとは逆になる（図１１参照）。
【０１２５】
以上説明した例１によれば、被写体が斜めに写っている場合に画像を回転して余白領域が顔の上側または下側に位置した画像及びプリントが得られ、ユーザは被写体が見やすい画像を得ることができる。なお、例１のように画像を回転する場合、回転角度が１８０度ではないので、回転後の画像と画像形成領域（観察部１１８）とは形状が一致しない。そこで、形状が一致するように、画像を適宜拡大、縮小、トリミング等してもよい（上述した第１の実施形態及び以下の例についても同様である）。
【０１２６】
＜画像回転の他の例２＞
上述した第１の実施形態及び例１では被写体が一人の人物である場合について説明したが、被写体が複数の人物であり顔の方向がそれぞれ異なっている場合がある。このような場合の画像の回転について以下に説明する。
【０１２７】
図１９は被写体が複数の人物である場合の画像の回転処理を示すフローチャートである。図１２と同じ処理を行うステップには同一のステップ番号を付し、詳細な説明を省略する。
【０１２８】
図１９のフローチャートでは、ステップＳ１０４（被写体検出工程）で「人物の顔を検出した」と判断された場合（判断結果がＹｅｓ）は、ステップＳ１０５（被写体検出工程）において１つの顔を検出したか否かを判断し、複数の顔を検出した場合（ステップＳ１０５でＮｏ）はステップＳ１０７（被写体検出工程、画像回転工程）に進んで複数の顔の方向の相違が許容範囲以下であるか否かを判断する。例えば、図２０に示すように撮影画像Ｉｍ５で検出した被写体が人物Ｐ３ａと人物Ｐ３ｂ（枠Ｇ２ａ，Ｇ２ｂによる）であり、それら人物の顔の方向がそれぞれ上下方向Ｄ４、上下方向Ｄ５である場合に、上下方向Ｄ４と上下方向Ｄ５の成す角度が許容範囲以下であるか否かを判断する。許容範囲の値は、必要に応じて例えば３０度、４５度、９０度等任意の値を設定しうる。なお、撮影画像Ｉｍ５の方向は上下方向Ｄ０であり、上下方向Ｄ４は上下方向Ｄ０と一致しているものとする。
【０１２９】
図２０の例では上下方向Ｄ４と上下方向Ｄ５の成す角度が小さく、許容範囲以下であるものとする。この場合、上述した第１の実施形態と同様に画像が回転され（図１３〜図１５を参照）、図２１のプリントイメージＩｍ６（表示用画像）の状態でモニタ２２に表示される。余白領域１１５には、回転後の画像Ｉｍ５ａと余白領域１１５との位置関係に応じた表示方向（モニタ２２に表示したときの上下方向が画像の上下方向と一致）によりメッセージのサンプルＭ２が表示される。モニタ２２への表示と印刷の様子は図１６と同様である。
【０１３０】
図２０では顔の方向の相違が小さく許容範囲以下である場合の例を示したが、顔の方向の相違が許容範囲より大きくなる場合もありうる。図２２は人物Ｐ４ａ，Ｐ４ｂの顔の方向（上下方向Ｄ６，Ｄ７）の相違が大きい場合の撮影画像Ｉｍ７を示しており、上下方向Ｄ６，Ｄ７の成す角度が１２０度を超えている。このように顔の方向が大きく異なっている状況では、いずれかの顔に合わせて画像を回転すると他の顔が見にくくなってしまう場合があるため、顔の方向の相違が許容範囲より大きい場合は以下に説明するように印刷に際して画像を回転させないようにしてもよい。なお、図２２のような構図は、地面や床に寝転がっている複数の人物を上から撮影した場合や、逆に地面に置かれたカメラを複数の人物が上からのぞき込んでいる場合等に生じうる。
【０１３１】
図２２の例において顔方向の相違の許容範囲が９０度であるとすると、顔の方向の相違が許容範囲を超えているためステップＳ１０７（被写体検出工程、画像回転工程）の判断が否定され、ステップＳ１０６（画像回転工程）をスキップして撮影画像Ｉｍ７を回転せずステップＳ１０８へ進む。この場合、撮影画像Ｉｍ７を回転しないので、モニタ２２には図２３のようにプリントイメージＩｍ７ａが表示される。余白領域１１５には、撮影画像Ｉｍ７と余白領域１１５との位置関係に応じた表示方向で、メッセージのサンプルＭ３が表示される。モニタ２２への表示及び印刷の様子は図１１と同様である。
【０１３２】
＜画像回転の他の例３＞
次に、画像回転のさらに他の例について説明する。図２４は、撮影画像Ｉｍ８において複数の人物Ｐ５ａ，Ｐ５ｂ，Ｐ５ｃが顔検出用の枠により検出され、それら人物の顔の上下方向が上下方向Ｄ８，Ｄ９，Ｄ１０である様子を示している。上下方向Ｄ８，Ｄ９は撮影画像Ｉｍ８の上下方向Ｄ０と一致しており、上下方向Ｄ１０は上下方向Ｄ０とは異なっている。
【０１３３】
本例では、このような場合、数の多い方向を優先して撮影画像Ｉｍ８を回転させる。具体的には、２つの上下方向Ｄ８，Ｄ９が同じ方向であり１つの上下方向Ｄ１０が異なる方向であるので、上下方向Ｄ８，Ｄ９に合わせて撮影画像Ｉｍ８を回転する。回転の度合いは、第１の実施形態（図１３〜１５参照）と同様に、人物Ｐ５ａ，Ｐ５ｂの顔の上下方向Ｄ８，Ｄ９が搬送方向（矢印Ｆの方向）と一致するように１８０度とすればよい。これにより、モニタ２２には図２５に示すプリントイメージＩｍ９（回転後の画像Ｉｍ８ａ及び余白領域１１５を含む；表示用画像）のようになり、余白領域１１５は人物の顔の上方向に位置する。また、メッセージのサンプルＭ４が余白領域１１５に表示される。このようなプリントイメージの表示及び印刷は図１６について説明したのと同様に行うことができる。
【０１３４】
このようにして、本例においても余白領域１１５と画像との位置関係、及び余白領域１１５にメッセージを記入した状態を確認でき、余白領域１１５が被写体である人物Ｐ５ａ，Ｐ５ｂ，Ｐ５ｃに対し所望の方向に位置したプリントを得ることができる。
【０１３５】
＜画像回転の他の例４＞
次に、画像回転のさらに他の例について説明する。本例では、複数の人物の顔方向の相違が許容範囲（例えば、９０度）以下である場合、複数の顔方向の中間を基準に撮影画像を回転する。例えば、図２６に示すように撮影画像Ｉｍ１０に複数の人物Ｐ６ａ，Ｐ６ｂが写っており、顔方向がそれぞれ上下方向Ｄ１１，Ｄ１２であるものとする。顔方向の相違（上下方向Ｄ１１，Ｄ１２の成す角度）は９０度以下である。この場合、上下方向Ｄ１１，Ｄ１２の中間である方向Ｄ１３を基準とし、方向Ｄ１３が印刷時の搬送方向（矢印Ｆの方向）と一致するように撮影画像Ｉｍ１０を回転する。
【０１３６】
このような回転により得られたプリントイメージＩｍ１１（表示用画像）を図２７に示す。プリントイメージＩｍ１１では、回転後の画像Ｉｍ１０ａに対し余白領域１１５が上側に位置するように配置され、メッセージのサンプルＭ５も表示されている。このようなプリントイメージの表示及び印刷は、図１６と同様に行うことができる。このように、本例においても余白領域１１５と画像との位置関係、及び余白領域１１５にメッセージを記入した状態を確認でき、被写体である人物Ｐ６ａ，Ｐ６ｂに対し余白領域１１５が所望の方向に位置したプリントを得ることができる。
【０１３７】
＜画像のトリミング＞
次に、上述のように回転した画像のトリミングについて説明する。撮影状況によっては人物が小さく写っている場合があり、トリミングにより人物あるいはその顔が画像の多くを占めるプリントを得ることができる。図２８は画像の回転及びトリミングの処理を示すフローチャートである。図２８中、図１２，１９と同一の処理には同一のステップ番号を付し、詳細な説明を省略する。
【０１３８】
図２８のフローチャートでは、ステップＳ１０８において回転した画像及びメッセージのサンプルを表示した後、ステップＳ１０９ａでトリミング指示がされたか否かを判断する。この判断は、背面操作部２４を介したユーザの指示入力の有無により行うことができる。判断が肯定されるとステップＳ１０９ｂに進んでトリミングを行い、トリミングした画像及びメッセージのサンプルをステップＳ１０９ｂで表示する。なお、トリミングの処理は、システムコントローラ２４０の制御の下でプリント用画像信号処理部２３６が行う。
【０１３９】
例えば図２９のように撮影画像Ｉｍ１２において顔検出用の枠Ｇ４により人物Ｐ７が検出され、顔の方向が上下方向Ｄ１４であったとする。この場合、上述のように上下方向Ｄ１４が搬送方向（矢印Ｆの方向）と一致するように１８０度回転させると図３０に示す画像Ｉｍ１２ａが得られるが、画像Ｉｍ１２ａでは人物Ｐ７が画像の端付近に存在しているので、人物以外の部分を一部トリミングする。例えば、図３０に示す上下範囲Ｔｖ及び左右範囲Ｔｈを残して、それ以外の領域をトリミングすることができる。上下範囲Ｔｖ及び左右範囲Ｔｈは人物Ｐ７の顔を中心として画像Ｉｍ１２ａ内で設定されており、トリミング後の画像に空白（無画像部分）が生じないようになっている。
【０１４０】
このようにしてトリミングを行ったら、トリミングにより得られた画像及びメッセージのサンプルをステップＳ１０９ｃでモニタ２２に表示する。例えば、図３１に示すようなプリントイメージＩｍ１３（表示用画像）を表示する。プリントイメージＩｍ１３では、上述のように回転され人物Ｐ７以外の部分が一部トリミングされた画像Ｉｍ１２ｂと、人物Ｐ７の顔の上方向に位置した余白領域１１５が表示されている。また、余白領域１１５にはメッセージのサンプルＭ６が表示される。このようなプリントイメージの表示及び印刷は、図１６について説明したのと同様に行うことができる。なお、上述した第１の実施形態と同様に、撮影画像、及び画像の回転及び／またはトリミングの内容を示す情報は、互いに関連づけて内部メモリ２２２に記憶され（ステップＳ１１４ａ）、ユーザの指示に応じて回転／及びまたはトリミングの内容を再現することができる。
【０１４１】
＜第２の実施形態＞
上述した第１の実施形態及び他の例では、本発明のプリンタ、撮像装置、及びプリント方法をプリンタ付きデジタルカメラ１により実現する場合について説明したが、本発明のプリンタ、撮像装置、及びプリント方法はこのような態様だけでなくスマートフォン及びプリンタを用いて実現することもできる。
【０１４２】
図３２は本発明の第２の実施形態に係るプリントシステム５００の構成を示す図である。プリントシステム５００は、スマートフォン２００（プリンタ付きカメラ、プリンタ）及びプリンタ３００（プリンタ）を含んで構成される。スマートフォン２００は、撮像光学系及び撮像素子により画像を取得する撮像部（デジタルカメラ）と、画像の回転等を行う画像処理部と、タッチパネル機能を備えたモニタと、を備え（図３２で不図示）、このモニタに上述した撮影画像及びやプリントイメージを表示しつつ、第１の実施形態について説明した背面操作部２４等と同様の操作をユーザが行えるようになっている。また、スマートフォン２００には本発明に係るプリント方法を実行するプログラムがアプリケーションソフトウェアとしてインストールされており、このアプリケーションソフトウェアの制御により、第１の実施形態について説明したプリンタ付きデジタルカメラ１と同様の処理が行われる。すなわち、第２の実施形態においてスマートフォン２００は本発明に係るプリンタ及びプリンタ付きカメラにおける画像入力部、被写体検出部、画像回転部、表示制御部、トリミング部として機能し、また撮影画像やプリントイメージ等を表示する表示装置としても機能する。スマートフォン２００はさらに、本発明に係るプリンタの機能（プリント部）の一部（プリンタ３００に対するプリント指示機能）をも有する。
【０１４３】
一方、プリンタ３００はスマートフォン２００と有線及び／または無線により通信し、スマートフォン２００からの指示に応じて印刷を行う。プリンタ３００では、第１の実施形態と同様にインスタントフィルムパック１００に収容されたインスタントフィルム１１０を用いることができ、印刷後のインスタントフィルム１１０が排出口３１１から排出される。
【０１４４】
上述した構成のプリントシステム５００においても、図１２，１９，２８のフローチャート等に示す処理手順により、第１の実施形態及び他の例と同様に撮像（画像入力）、画像の回転、プリントイメージ（画像、余白領域、及びメッセージのサンプルを含む）の表示、プリント指示等を行うことができる。これにより余白領域が被写体に対し所望の方向に位置したプリントを得ることができ、また余白領域にメッセージを記入した状態を確認することができる。なお、プリントシステム５００におけるスマートフォン２００の機能は、上述したアプリケーションソフトウェアと同様のソフトウェアをパーソナルコンピュータにインストールすることで実現することもできる。
【０１４５】
＜その他の例＞
上述した実施形態及び例では被写体が人物の顔である場合について説明したが、本発明において被写体は人物の顔に限られず、空、海、地面、樹木、建物、各種機器等上下方向のある他の被写体に適用することができる。
【０１４６】
以上で本発明の実施形態及び例に関して説明してきたが、本発明は上述した態様に限定されず、本発明の精神を逸脱しない範囲で種々の変形が可能である。
【符号の説明】
【０１４７】
１        プリンタ付きデジタルカメラ
１０      カメラボディ
１０Ａ    本体部
１０Ｂ    裏蓋部
１０Ｃ    ヒンジ部
１２      撮影レンズ
１２ａ    絞り
１２ｂ    シャッタ
１４      電源リング
１６Ａ    第１レリーズボタン
１６Ｂ    第２レリーズボタン
１８      フラッシュ
２０      補助光ランプ
２２      モニタ
２４      背面操作部
２４ａ    メニューボタン
２４ｂ    コマンドダイヤル
２４ｃ１  機能ボタン
２４ｃ２  機能ボタン
２４ｃ３  機能ボタン
２４ｃ４  機能ボタン
２４ｃ５  機能ボタン
２４ｃ６  機能ボタン
２６      撮影モード切換レバー
２８      プリント排出口
３０      ロック解除レバー
４２      イメージセンサ
５０      フィルム装填室
５２      フィルム送出機構
５２ａ    クロー
５４      フィルム搬送機構
５４Ａ    搬送ローラ対
５４Ｂ    展開ローラ対
５６      プリントヘッド
１００    インスタントフィルムパック
１１０    インスタントフィルム
１１０ａ  露光面
１１０ｂ  観察面
１１２    露光部
１１４    ポッド部
１１４ａ  現像処理液ポッド
１１５    余白領域
１１６    トラップ部
１１６ａ  吸収材
１１８    観察部
１１８ａ  枠
１２０    ケース
１２０ａ  開口部
１２０ｂ  排出口
１２０ｃ  クロー開口部
２００    スマートフォン
２１２    撮影レンズ駆動部
２１４    イメージセンサ駆動部
２１６    アナログ信号処理部
２１８    画像データ入力部
２２０    デジタル信号処理部
２２２    内部メモリ
２３０    フィルム送出機構駆動部
２３２    フィルム搬送機構駆動部
２３４    プリントヘッド駆動部
２３６    プリント用画像信号処理部
２４０    システムコントローラ
２４２    ワークメモリ
２４４    データメモリ
２４６    モニタ駆動部
２４８    操作部
２５０    電源部
３００    プリンタ
５００    プリントシステム
Ｄ０      上下方向
Ｄ１      上下方向
Ｄ１０    上下方向
Ｄ１１    上下方向
Ｄ１２    上下方向
Ｄ１３    方向
Ｄ１４    上下方向
Ｄ２      上下方向
Ｄ３      方向
Ｄ４      上下方向
Ｄ５      上下方向
Ｄ６      上下方向
Ｄ７      上下方向
Ｄ８      上下方向
Ｄ９      上下方向
Ｆ        矢印
Ｇ１      枠
Ｇ２ａ    枠
Ｇ２ｂ    枠
Ｇ４      枠
Ｉｍ０    撮影画像
Ｉｍ１    画像
Ｉｍ２      プリントイメージ
Ｉｍ３      撮影画像
Ｉｍ３ａ    画像
Ｉｍ３ｂ    画像
Ｉｍ４      プリントイメージ
Ｉｍ４ａ    プリントイメージ
Ｉｍ４ｂ    プリントイメージ
Ｉｍ５      撮影画像
Ｉｍ５ａ    画像
Ｉｍ６      プリントイメージ
Ｉｍ７      撮影画像
Ｉｍ７ａ    プリントイメージ
Ｉｍ８      撮影画像
Ｉｍ９      プリントイメージ
Ｉｍ１０    撮影画像
Ｉｍ１０ａ  画像
Ｉｍ１１    プリントイメージ
Ｉｍ１２    撮影画像
Ｉｍ１２ａ  画像
Ｉｍ１２ｂ  画像
Ｉｍ１３    プリントイメージ
Ｍ１        サンプル
Ｍ１ａ      サンプル
Ｍ１ｂ      サンプル
Ｍ２        サンプル
Ｍ３        サンプル
Ｍ４        サンプル
Ｍ５        サンプル
Ｍ６        サンプル
Ｐ１        人物
Ｐ２        人物
Ｐ３ａ      人物
Ｐ３ｂ      人物
Ｐ４ａ      人物
Ｐ５ａ      人物
Ｐ６ａ      人物
Ｐ７        人物
Ｓ１００〜Ｓ１１４ａ  プリント処理方法の各ステップ
Ｔｈ        左右範囲
Ｔｖ        上下範囲
ｘ          矢印
ｙ          矢印
ｚ          矢印
【図１】
2018094916.tif 000003
【図２】
2018094916.tif 000004
【図３】
2018094916.tif 000005
【図４】
2018094916.tif 000006
【図５】
2018094916.tif 000007
【図６】
2018094916.tif 000008
【図７】
2018094916.tif 000009
【図８】
2018094916.tif 000010
【図９】
2018094916.tif 000011
【図１０】
2018094916.tif 000012
【図１１】
2018094916.tif 000013
【図１２】
2018094916.tif 000014
【図１３】
2018094916.tif 000015
【図１４】
2018094916.tif 000016
【図１５】
2018094916.tif 000017
【図１６】
2018094916.tif 000018
【図１７】
2018094916.tif 000019
【図１８】
2018094916.tif 000020
【図１９】
2018094916.tif 000021
【図２０】
2018094916.tif 000022
【図２１】
2018094916.tif 000023
【図２２】
2018094916.tif 000024
【図２３】
2018094916.tif 000025
【図２４】
2018094916.tif 000026
【図２５】
2018094916.tif 000027
【図２６】
2018094916.tif 000028
【図２７】
2018094916.tif 000029
【図２８】
2018094916.tif 000030
【図２９】
2018094916.tif 000031
【図３０】
2018094916.tif 000032
【図３１】
2018094916.tif 000033
【図３２】
2018094916.tif 000034